(57)【要約】【課題】水処理装置の散気管内壁に付着し乾燥・硬化した汚泥を除去する。【解決手段】フレキシブルシャフト（２０）の先端に取り付けたビット（１０）をｙ字管（９）から挿入し、送気管（８）および屈曲管（７）を通し、散気管（６）に至らせ、電動ドリル（３０）を回すと、散気管（６）内でビット（１０）が回転および振子運動し、散気管（６）の内壁に付着し乾燥・硬化した汚泥を粉砕・剥離する。【効果】汚泥が散気管（６）内に充満して散気管（６）を詰まらせてしまっている場合でも、汚泥を好適に粉砕、剥離および除去することが出来る。【選択図】図６
2010104931.tif 000002
【特許請求の範囲】
【請求項１】
水処理施設の水槽内水中に気泡を放出するための散気管および前記散気管に空気を送り込むための送気管のいずれの内径よりも小さい外径を有し且つ重心が回転軸から偏心したビットと、水槽外に置かれるモータと、前記モータから前記送気管内を通り前記散気管まで挿入しうる長さを有し且つ屈曲部がある場合はその屈曲部で曲がると共に前記ビットが振子運動しうる柔軟性を有し前記モータの回転を前記ビットに伝えるフレキシブルシャフトとを具備したことを特徴とする散気管清掃装置。
【請求項２】
請求項１に記載の散気管清掃装置において、前記フレキシブルシャフトが、前記ビットに一端が連結されるビット連結部と、前記ビット連結部の他端に一端が連結され前記ビット連結部の柔軟性よりも低い柔軟性を有する中間部の少なくとも２段になっていることを特徴とする散気管清掃装置。
【請求項３】
水処理施設の水槽内水中に気泡を放出するための散気管および前記散気管に空気を送り込むための送気管を備えた水処理用散気装置に対して、請求項１または請求項２に記載の前記フレキシブルシャフトの先端に付けた前記ビットを水槽外から前記送気管内を通して前記散気管まで挿入し前記モータで駆動して回転および振子運動させ、散気管内壁に付着し乾燥・硬化した汚泥を前記ビットで粉砕・剥離することを特徴とする散気管清掃方法。
【発明の詳細な説明】
【技術分野】
【０００１】
本発明は、ろ過装置や攪拌装置などの水処理装置に用いる散気管清掃装置および散気管清掃方法に関し、さらに詳しくは、散気管内壁に付着し硬化した汚泥を好適に除去しうる散気管清掃装置および散気管清掃方法に関する。
【背景技術】
【０００２】
従来、水処理装置の散気管内に清掃ブラシを通し、散気管内を清掃するようにした汚水処理装置が知られている（例えば、特許文献１参照。）。
【特許文献１】特開平１０−２７２４６７号公報（［００１１］）
【発明の開示】
【発明が解決しようとする課題】
【０００３】
水処理装置の散気管から気泡を放出すると、散気管から出て行く気泡と入れ替わるように原水が散気管内に入り、汚泥が散気管の内壁に付着する。この散気管の内壁に付着した汚泥は、散気管に送り込まれた空気により乾燥し、硬化する。そして、ついには汚泥が、散気管内に充満して散気管を詰まらせてしまうこともある。
しかし、上記従来の汚水装置のように清掃ブラシを通すだけでは、散気管内壁に付着し硬化した汚泥を好適に除去できない問題点があった。
そこで、本発明の目的は、水処理装置に用いる散気管内壁に付着し硬化した汚泥を好適に除去しうる水処理装置に用いる散気管清掃装置および散気管清掃方法を提供することにある。
【課題を解決するための手段】
【０００４】
第１の観点では、本発明は、水処理施設の水槽内水中に気泡を放出するための散気管および前記散気管に空気を送り込むための送気管のいずれの内径よりも小さい外径を有し且つ重心が回転軸から偏心したビットと、水槽外に置かれるモータと、前記モータから前記送気管内を通り前記散気管まで挿入しうる長さを有し且つ屈曲部がある場合はその屈曲部で曲がると共に前記ビットが振子運動しうる柔軟性を有し前記モータの回転を前記ビットに伝えるフレキシブルシャフトとを具備したことを特徴とする散気管清掃装置を提供する。
上記第１の観点による散気管清掃装置では、フレキシブルシャフトの先端に取り付けたビットを送気管の水槽外の部分から送気管内に挿入し、送気管を通して散気管に至らせる。そして、モータを回すと、散気管内でビットが回転および振子運動するので、散気管内壁に付着し乾燥・硬化した汚泥を好適に除去することが出来る。また、汚泥が散気管内に充満して散気管を詰まらせてしまっている場合でも、汚泥を好適に除去することが出来る。
【０００５】
ビットの外径を送気管および散気管のいずれの内径よりも小さくしたのは、管内を通すためである。
また、ビットの重心を回転軸から偏心させたのは、管内径よりも外径が小さいビットを振子運動させて、管内壁に当たるまでビットを振るためである。
【０００６】
フレキシブルシャフトをモータから送気管内を通り散気管まで挿入しうる長さとしたのは、モータを水槽外に置くためである。
また、フレキシブルシャフトは、屈曲部がある場合はその屈曲部で曲がると共に、ビットが振子運動しうる柔軟性を有することが必要である。
【０００７】
第２の観点では、本発明は、前記第１の観点による散気管清掃装置において、前記フレキシブルシャフトが、前記ビットに一端が連結されるビット連結部と、前記ビット連結部の他端に一端が連結され前記ビット連結部の柔軟性よりも低い柔軟性を有する中間部の少なくとも２段になっていることを特徴とする散気管清掃装置を提供する。
上記第２の観点による散気管清掃装置では、フレキシブルシャフトをビット連結部と中間部の少なくとも２段とし、ビット連結部の柔軟性を相対的に高くし、中間部の柔軟性を相対的に低くした。これにより、ビットは、屈曲部がある場合はその屈曲部で曲がって進み易くなると共に振子運動し易くなる。他方、中間部は、捩れを抑えて、回転を好適に伝達することが出来る。なお、中間部は、ビット連結部に先導されて屈曲部を曲がるので、屈曲部の曲がりに支障を生じない。また、ビット連結部の長さだけビットから離れるので、ビットの振子運動にも支障を生じることはない。
【０００８】
第３の観点では、本発明は、水処理施設の水槽内水中に気泡を放出するための散気管および前記散気管に空気を送り込むための送気管を備えた水処理用散気装置に対して、請求項１または請求項２に記載の前記フレキシブルシャフトの先端に付けた前記ビットを水槽外から前記送気管内を通して前記散気管まで挿入し前記モータで駆動して回転および振子運動させ、散気管内壁に付着し乾燥・硬化した汚泥を前記ビットで粉砕・剥離することを特徴とする散気管清掃方法を提供する。
上記第３の観点による散気管清掃方法では、フレキシブルシャフトの先端に取り付けたビットを送気管の水槽外の部分から送気管内に挿入し、送気管を通して散気管に至らせる。そして、モータを回すと、散気管内でビットが回転および振子運動するので、散気管内壁に付着し乾燥・硬化した汚泥を好適に除去することが出来る。また、汚泥が散気管内に充満して散気管を詰まらせてしまっている場合でも、汚泥を好適に除去することが出来る。
【発明の効果】
【０００９】
本発明の散気管清掃装置および散気管清掃方法によれば、散気管内壁に付着し乾燥・硬化した汚泥を好適に粉砕、剥離および除去することが出来る。
【発明を実施するための最良の形態】
【００１０】
以下、図に示す実施の形態により本発明をさらに詳細に説明する。なお、これにより本発明が限定されるものではない。
【実施例１】
【００１１】
図１は、実施例１に係る散気管清掃装置１００の使用状態を示す斜視図である。
この散気管清掃装置１００は、ビット１０と、フレキシブルシャフト２０と、電動ドリル３０とを具備してなる。
【００１２】
例えば、図２に示すように、散気管清掃装置１００の使用対象となる膜ろ過装置１は、浸漬膜２と、各浸漬膜２からのろ過水を集めるための集水管３と、各浸漬膜２のろ過水出口と集水管３のろ過水入口とをそれぞれ連結するろ過水管４と、集水管３にろ過水Ｄを集めるためのポンプ５と、浸漬膜２の下方に水平方向に設置され浸漬膜２の外面を気泡で洗浄するための散気管６と、方向を９０゜変える屈曲部７と、屈曲部７により散気管６に連結され垂直方向に立ち上がり原水Ｓ外に出て原水Ｓ外から散気管６に空気を送り込むための送気管８と、空気口９ａおよびビット口９ｂを有するｙ字管９と具備している。
散気管６には、散気穴６ａが穿設されている。また、屈曲部７と反対側の散気管６の端部は下方に曲げられ且つ端面が開口６ｂになっている。
【００１３】
散気管６と屈曲部７と送気管８とｙ字管９とは、別体である必要はない。例えば、屈曲部７と送気管８とを一体物としてもよい。
【００１４】
ビット１０は、送気管８および散気管６と屈曲部７のいずれの内径よりも小さい外径を有している。
【００１５】
フレキシブルシャフト２０は、電動ドリル３０からｙ字管９および送気管８内を通り屈曲部７で曲がり散気管６の端面開口６ｂから汚泥（図６のＭ）を押し出しうる長さを有し且つ屈曲部７で曲がると共にビット１０が振子運動しうる柔軟性を有している。
【００１６】
図３の（ａ）はビット１０の正面図であり、（ｂ）は側面図であり、（ｃ）は背面図である。図４は、ビット１０の断面図である。
ビット１０は、ステンレス製であり、樽形の胴部１１に３枚の太刃１２と３枚の細刃１３が連続して付いている。太刃１２は細刃１３より重いため、重心は胴部１１の中心軸から偏心している。
胴部１１には、ボルト孔１４と、六角孔１５と、円孔１６が穿設されている。
【００１７】
図５に示すように、フレキシブルシャフト２０の先端の六角ナット部２１を、ビット１０の六角孔１５に挿入し、ボルト２２を螺合することで、フレキシブルシャフト２０の先端にビット１０を装着する。
【００１８】
図６に示すように、フレキシブルシャフト２０は、ビット１０に一端が連結されるビット連結部２０ａと、ビット連結部２０ａの他端に一端が連結される中間部２０ｂの２段になっている。中間部２０ｂの他端は、電気ドリル３０に把持される把持部２０ｃになっている。
ビット連結部２０ａは、屈曲部７で曲がると共にビット１０が振子運動しうる柔軟性を有している。中間部２０ｂは、ビット連結部２０ａの柔軟性よりも低い柔軟性を有している。
【００１９】
図７は、散気管６の清掃状態を示す説明図である。
矢印ａのように電動モータ３０により中間部２０ｂが回転されると、矢印ｂのようにビット連結部２０ａおよびビット１０が回転すると共に、矢印ｃのようにビット１０が振子運動する。これにより、散気管６の内壁に付着し乾燥・硬化した汚泥Ｍを粉砕・剥離することが出来る。
そして、図８に示すように、散気管６の端面開口６ｂより汚泥Ｍを排出する。
【産業上の利用可能性】
【００２０】
本発明の散気管清掃装置および散気管清掃方法は、浄水、排水および廃水処理施設などの水処理施設で利用できる。
【図面の簡単な説明】
【００２１】
【図１】実施例１に係る散気管清掃装置を示す斜視図である。
【図２】実施例１に係る散気管清掃装置および膜ろ過装置を示す斜視図である。
【図３】実施例１に係るビットを示す正面図、側面図および背面図である。
【図４】実施例１に係るビットを示す断面図である。
【図５】実施例１に係るビットとフレキシブルシャフトの取付けを示す断面図である。
【図６】実施例１に係るフレキシブルシャフトを示す側面図である。
【図７】実施例１に係る散気管からの汚泥の排出状態を示す斜視図である。
【図８】実施例１に係る散気管の清掃状態を示す断面図である。
【符号の説明】
【００２２】
１                  膜ろ過装置
２                  浸漬膜
３                  集水管
４                  ろ過水管
５                  ポンプ
６                  散気管
７                  屈曲部
８                  送気管
９                  ｙ字管
１００              散気管清掃装置
Ｄ                  ろ過水
Ｍ                  汚泥
Ｓ                  原水
【図１】
2010104931.tif 000003
【図２】
2010104931.tif 000004
【図３】
2010104931.tif 000005
【図４】
2010104931.tif 000006
【図５】
2010104931.tif 000007
【図６】
2010104931.tif 000008
【図７】
2010104931.tif 000009
【図８】
2010104931.tif 000010